(57)【要約】【課題】振動等の外乱が印加されたとしても、ネジが緩みにくい電子機器を提供する。【解決手段】ネジ５ａ及び５ｂにより他の機器に着脱可能な電子機器であって、筐体１と、筐体１に形成されネジ５ａ及び５ｂを挿通支持する貫通孔４ｄと、貫通孔４ｄに挿通支持されたネジ５ａ及び５ｂの頭部５ｃに着脱可能なブッシュ２１とを備え、ブッシュ２１は、ネジ５ａ及び５ｂの頭部５ｃに圧入装着可能な貫通孔２１ａを有し、ネジ５ａ及び５ｂの頭部５ｃに圧入装着されている状態において、少なくとも一部が筐体１に当接している。【選択図】図６Ｂ
2010205061.tif 000002
【特許請求の範囲】
【請求項１】
ネジにより第１筐体を第２筐体に螺結可能な関係を有し、
前記第１筐体に形成され、前記ネジを挿通支持する支持部と、
前記支持部に挿通支持された前記ネジの頭部に着脱可能な弾性部材とを備え、
前記弾性部材は、
前記ネジの頭部に圧入装着可能な貫通孔と、
前記ネジの頭部に圧入装着されている状態において、少なくとも一部が前記第１筐体に当接する当接部とを備える、電子機器。
【請求項２】
前記弾性部材は、
柱状に形成され、
柱軸方向両端面間に前記貫通孔が形成され、
前記貫通孔に前記ネジの頭部が圧入されている状態において、前記柱軸方向両端面のうち一方の端面が前記第１筐体に当接している、請求項１記載の電子機器。
【請求項３】
前記弾性部材は、
柱状に形成され、
柱軸方向両端面間に前記貫通孔が形成され、
前記貫通孔に前記ネジの頭部が圧入されている状態において、前記柱軸方向に対し平行な側面の一部が前記第１筐体に当接している、請求項１記載の電子機器。
【請求項４】
前記弾性部材は、
前記柱軸方向に対し平行な側面に少なくとも一つの平面を有する、請求項２または３に記載の電子機器。
【請求項５】
前記弾性部材は、
前記柱軸方向における両端面の間に溝部を有する、請求項２〜４のうちいずれか一項に記載の電子機器。
【発明の詳細な説明】
【技術分野】
【０００１】
本発明は、他の機器に着脱可能な電子機器に関する。
【背景技術】
【０００２】
従来、電子機器の拡張性向上のために、拡張機能を有するポートリプリケーター等に接続して使用する手段が開発されている。これらの拡張機器は卓上での固定した使用にとどまらず、拡張機器をネジ等により電子機器に接続した状態で携帯しながら操作をするなど、その使用範囲は広がっている。
【０００３】
特許文献１には、ノートパソコンなどの携帯機器と拡張機器とをケーブルで接続する構成において、ケーブルの端部に配されているコネクタを、携帯機器側のコネクタにネジで固定する構成が開示されている。
【特許文献１】特開平５−２１７６２０号公報
【発明の開示】
【発明が解決しようとする課題】
【０００４】
しかしながら、特許文献１に開示されているように、ケーブルのコネクタを携帯機器側のコネクタにネジで螺結する構成では、振動等の外乱が印加されることによりネジに緩みが発生し、ケーブルが携帯機器から離脱する危惧がある。
【０００５】
また、携帯機器のコネクタと拡張機器のコネクタとを直接機械的に結合する構成では、ネジに緩みが発生すると、拡張機器が携帯機器から脱落し、拡張機器が破損する可能性がある。
【０００６】
本発明は、振動等の外乱が印加されたとしても、ネジが緩みにくい電子機器を提供することを目的とする。
【課題を解決するための手段】
【０００７】
本発明の電子機器は、ネジにより第１筐体を第２筐体に螺結可能な関係を有し、前記第１筐体に形成され、前記ネジを挿通支持する支持部と、前記支持部に挿通支持された前記ネジの頭部に着脱可能な弾性部材とを備え、前記弾性部材は、前記ネジの頭部に圧入装着可能な貫通孔と、前記ネジの頭部に圧入装着されている状態において、少なくとも一部が前記第１筐体に当接する当接部とを備えるものである。
【発明の効果】
【０００８】
本発明によれば、拡張機器を接続した状態で振動が多い車載環境等でも長期の安定した機器の接続が可能となる。
【発明を実施するための最良の形態】
【０００９】
本発明の電子機器において、前記弾性部材は、柱状に形成され、柱軸方向両端面間に前記貫通孔が形成され、前記貫通孔に前記ネジの頭部が圧入されている状態において、前記柱軸方向両端面のうち一方の端面が前記第１筐体に当接している構成とすることができる。このような構成とすることにより、弾性部材とネジの頭部との間の摩擦、および弾性部材と第１筐体との間の摩擦により、ネジの軸周りの回転を規制することができる。よって、振動等の外乱が印加されることによりネジが緩み、第１筐体が第２筐体から脱落することを防止できる。
【００１０】
本発明の電子機器において、前記弾性部材は、柱状に形成され、柱軸方向両端面間に前記貫通孔が形成され、前記貫通孔に前記ネジの頭部が圧入されている状態において、前記柱軸方向に対し平行な側面の一部が前記第１筐体に当接している構成とすることができる。このような構成とすることにより、弾性部材とネジの頭部との間の摩擦、および弾性部材における側面の一部と第１筐体との間の摩擦により、ネジの軸周りの回転を規制することができる。よって、振動等の外乱が印加されることによりネジが緩み、第１筐体が第２筐体から脱落することを防止できる。
【００１１】
本発明の電子機器において、前記弾性部材は、前記柱軸方向に対し平行な側面に少なくとも一つの平面を有する構成とすることができる。このような構成とすることにより、ネジから離脱した弾性部材を転がりにくくすることができ、弾性部材を紛失しにくくすることができる。
【００１２】
本発明の電子機器において、前記弾性部材は、前記柱軸方向における両端面の間に溝部を有する構成とすることができる。このような構成とすることにより、溝部に紐等を巻き付けて離脱方向へ引っ張ることにより、容易に弾性部材をネジから離脱することができる。また、溝部に紐等を巻き付け、その紐等の端部を筐体等に固定することにより、ネジから離脱した弾性部材を紛失するのを防止することができる。
【００１３】
（実施の形態）
〔１．電子機器の構成〕
本実施の形態では、電子機器の一例としてカード装着装置を挙げている。カード装着装置は、スマートカードなどのカード状媒体を着脱可能であり、パーソナルコンピューター（以下パソコンと称する）などの情報機器に外部接続可能な拡張機器である。本実施の形態の電子機器は、カード装着装置に限らず、ネジにより他の機器に着脱可能な拡張機器であればよい。
【００１４】
図１は、本実施の形態の電子機器の一例であるカード装着装置の外観（前面側）を示す斜視図である。図２は、カード装着装置の外観（背面側）を示す斜視図である。図３は、カード装着装置のカード蓋体が開いた状態を示す斜視図である。
【００１５】
図１及び図２に示すように、カード装着装置は、略直方体を成す筐体１内に、電気回路部品（不図示）を内蔵している。図２に示すように、筐体１の背面１ｂには、パソコン５０（図４参照して後述）などの各種情報処理装置に接続可能なコネクタ２を備えている。筐体１の右側面１ｄ（カード装着装置を、前面１ａを使用者側に対向させてカード蓋体３が配された面を上方に向けた姿勢にした時に、使用者から見て向かって右側に位置する側面）には、ネジ５ａを支持しているリブ４ａが突出形成されている。リブ４ａには、ネジ５ａを挿通支持する貫通孔４ｄ（後述）が形成されている。筐体１の左側面１ｅ（右側面１ｄの裏側の面）には、ネジ５ｂを支持しているリブ４ｂが突出形成されている。リブ４ｂには、ネジ５ｂを挿通支持する貫通孔４ｄ（後述）が形成されている。ネジ５ａ及び５ｂは、パソコン５０（後述）に形成されたネジ穴５１ｂ（後述）に螺結させることができる。また、筐体１の上面１ｆ（前面１ａ、背面１ｂ、右側面１ｄ及び左側面１ｅに隣接する一方の面）には、カード蓋体３、ロックレバー１４を備えている。
【００１６】
カード蓋体３は、主に、主平面が長方形である略板状の部材で形成されている。カード蓋体３の略板状の部材は、主平面の面積が少なくともスマートカード１００（図３参照）の主平面の面積よりも大きく形成されている。また、カード蓋体３は、略板状の部材の一方の長辺部近傍が、支軸３１によって筐体１に支持されている。また、カード蓋体３は、支軸３１の軸回りに矢印Ａ及びＢに示す方向へ回動自在である。カード蓋体３は、少なくとも筐体１内のカード装着部を閉塞する閉塞位置（図１及び図２参照）と、筐体１内のカード装着部を開放する開蓋位置（図３参照）との間を、回動可能である。
【００１７】
また、カード蓋体３は、表裏一対の主平面のうち、筐体１のカード装着部に対向する主平面（以下、「カード蓋体３の裏面」と称する）に、スマートカード１００（後述）を保持可能な一対のカード保持部３３（図３参照）を備えている。カード保持部３３は、カード蓋体３の裏面における両端近傍において突出形成された、断面形状が略Ｌ字型の部材である。また、カード保持部３３は、カード蓋体３の短辺に沿って形成されている。また、カード蓋体３は、一対のカード保持部３３の間に、スマートカード１００を挿入可能な開口部３４が形成されている。開口部３４は、幅寸法が少なくともスマートカード１００の長手方向の寸法よりも大きく形成されている。
【００１８】
ロックレバー１４は、矢印Ｆ及びＧに示す方向へスライド可能に配されている。ロックレバー１４は、図１及び図２に示す位置にある時、カード蓋体３に形成された爪部（不図示）に係合し、カード蓋体３を閉塞位置で位置決めしている。また、ロックレバー１４が図３に示す位置にある時、カード蓋体３に形成された爪部（不図示）との係合が解除され、カード蓋体３を回動可能な状態となる。
【００１９】
筐体１においてカード蓋体３により覆われた部分には、接触端子部１１が配されている。接触端子部１１は、複数（本実施の形態では、スマートカード１００の端子１０１における接触領域の数と同数の８個）の接触端子１１ａを備えている。接触端子１１ａは、弾性を有する略板状の金属で形成されている。
【００２０】
図３に示すように、スマートカード１００は、国際規格ＩＳＯ７８１６に基づき物理的特性や電気的特性が規定されているとともに、日本工業規格ＪＩＳＸ６３０３に物理的特性や外部端子の位置・寸法などが規定されている。スマートカード１００は、これらの規格に準拠しており、例えば幅約９５ｍｍ、奥行約５４ｍｍ、厚さ約０．５〜１．０ｍｍの大きさを有するカード状の本体にＩＣチップ（集積回路）を内蔵して構成されている。また、スマートカード１００の少なくとも一方の主面１００ａには、ＩＣチップに電気的に接続された端子１０１が配されている。ＩＣチップは、セキュリティ情報などの各種情報を記憶することができる機能を有するものや、演算処理を実行することができる機能を有するものがある。端子１０１の位置や寸法についても、ＪＩＳＸ６３０３規格に規定されており、カード装着装置はこの規格に準拠したスマートカードに対応するために接触端子部１１及び接触端子１１ａの位置や寸法が決められている。
【００２１】
スマートカード１００をカード装着装置へ挿入する際は、スマートカード１００を、図３に示すように端子１０１が向かって右側に位置しかつ主面１００ａが接触端子部１１に対向する姿勢にして、開口部３４に挿入する。開口部３４に挿入されたスマートカード１００は、カード保持部３３により位置規制されて、カード蓋体３に保持される。次に、カード蓋体３を、支軸３１の軸周りに矢印Ｂに示す方向へ回動させることで、カード蓋体３はスマートカード１００を保持したまま、図１及び図２に示す閉塞位置まで変位する。次に、カード蓋体３を閉塞位置まで変位させた状態で、ロックレバー１４を図３に示す位置から矢印Ｆに示す方向へスライドさせることにより、カード蓋体３を閉塞位置で固定することができる。これにより、スマートカード１００の装着動作が完了する。カード蓋体３を閉塞位置まで回動させることにより、接触端子部１１における接触端子１１ａと端子１０１とが接触し、電気的に接続された状態になる。
【００２２】
〔２．情報処理装置の構成〕
図４は、本実施の形態におけるカード装着装置を着脱可能な情報処理装置の一例であるパソコンの斜視図である。図５は、カード装着装置がパソコンに装着された状態を示す平面図である。本実施の形態の蓋開閉装置を備えたカード装着装置は、図４に示すパソコンなどの情報処理装置に着脱可能である。
【００２３】
図４に示すように、パソコン５０は、略直方体の筐体５１内に、中央演算処理装置や記憶媒体（不図示）などを内蔵している。また、パソコン５０は、筐体５１の主平面上に画像などの様々な情報を表示することができるディスプレイ５２を備えている。また、筐体５１においてディスプレイ５２を備えている面には、使用者が様々な情報の入力を行うことができる操作部５３を備えている。また、筐体５１の側面５１ａには、カード装着装置のコネクタ２（図２参照）と電気的に接続可能なコネクタ５１ｃを備えている。また、側面５１ａには、ネジ５ａ及び５ｂを螺結可能なネジ穴５１ｂを備えている。
【００２４】
図５に示すように、カード装着装置の背面１ｂとパソコン５０の側面５１ａとを対向させ、カード装着装置のコネクタ２とパソコン５０のコネクタ５１ｃとを接続するとともに、ネジ５ａ及び５ｂをネジ穴５１ｂに螺結させることにより、カード装着装置をパソコン５０に機械的に装着することができるとともに、コネクタ２とコネクタ５１ｃとが電気的に接続された状態とすることができる。カード装着装置をパソコン５０に電気的に接続することにより、パソコン５０とカード装着装置との間で情報の交信を行うことができる。例えば、カード装着装置に、記憶領域を有するＩＣチップが搭載されたスマートカード１００（図３参照）を装着することにより、パソコン５０を操作してスマートカード１００に搭載されたＩＣチップから情報を読み出したり、ＩＣチップに情報を書き込んだりすることができる。また、スマートカード１００がセキュリティシステムにおける認証を行うためのカードである場合は、パソコン５０がスマートカード１００に搭載されたＩＣチップから認証情報を読み出し、パソコン５０内において認証作業を実行することができる。
【００２５】
〔３．ブッシュの構成〕
図５に示すように、本実施の形態ではネジ穴５１ｂ（図４参照）に螺結されたネジ５ａ及び５ｂに、それぞれブッシュ２１が装着される。以下、ブッシュの構成について、幾つかの例を挙げて説明する。なお、ネジ５ａとネジ５ｂとは同様の構成であり、ネジ５ａ及び５ｂに装着可能なブッシュも同様の構成であるため、以下の説明では、ネジ５ａおよびそれに装着可能なブッシュについてのみ説明する。
【００２６】
〔３−１．第１の構成〕
図６Ａは、ブッシュ２１（第１の構成）の斜視図である。ブッシュ２１は、略円柱形状に形成されている。ブッシュ２１は、ゴムなどの弾性材料で形成されている。ブッシュ２１は、柱軸方向両端面（円筒面２１ｃに隣接する一対の平面）間に貫通孔２１ａが形成されている。貫通孔２１ａは、内径が少なくともネジ５ａ及び５ｂの頭部５ｃ（後述）の外径以下の寸法を有し、頭部５ｃを圧入可能である。
【００２７】
図６Ｂは、ネジ５ａにブッシュ２１を装着した状態を示す断面図である。図６Ｂに示すように、ネジ５ａは、貫通孔４ｄに挿通支持されている。ネジ５ａの雄ネジ部５ｄは、ネジ穴５１ｂに螺結されている。図６Ｂに示すように、ネジ穴５１ｂに螺結されたネジ５ａと筐体１の右側面１ｄとの間に十分な間隙が存在する場合は、ブッシュ２１を、円筒面２１ｃに隣接する一方の平面（図６Ｂでは底面２１ｂ）が規制面４ｃに当接する位置まで、ネジ５ａの頭部５ｃに嵌合することができる。ブッシュ２１を頭部５ｃに嵌合することで、貫通孔２１ａの内面２１ｄとネジ５ａの頭部５ｃの円筒面５ｅとの間に摩擦が生じるため、ブッシュ２１をネジ５ａに固着することができる。また、底面２１ｂが規制面４ｃに当接する位置までブッシュ２１をネジ５ａに嵌合することで、底面２１ｂと規制面４ｃとの間に摩擦が生じるため、ネジ５ａの軸周りの回転を規制することができる。ネジ５ａの軸周りの回転を規制することにより、ネジ５ａが緩む方向（矢印Ｈに示す方向）へ容易に変位することを規制することができ、振動等によるネジ５ａの緩みを防止することができる。
【００２８】
なお、ブッシュ２１をネジ５ａから取り外す際には、ブッシュ２１の円筒面２１ｃを把持し、矢印Ｈ方向に引き抜くことで容易に取り外すことができる。
【００２９】
図６Ｃは、ブッシュ２１の他の装着例を示す断面図である。図６Ｃに示すように、筐体１の右側面１ｄが、ネジ穴５１ｂに螺結されたネジ５ａの軸方向に対して傾斜し、かつ規制面４ｃ上におけるネジ５ａと右側面１ｄとの間隙寸法Ｗ２がブッシュ２１の幅寸法Ｗ１よりも小さい場合、ネジ５ａの頭部５ｃが圧入されたブッシュ２１は、底面２１ｂと規制面４ｃとが離間した位置で、円筒面２１ｃと右側面１ｄとが当接する。この状態において、ブッシュ２１は頭部５ｃに圧入されているため、貫通孔２１ａの内面２１ｄとネジ５ａの頭部５ｃの円筒面５ｅとの間の摩擦により、ブッシュ２１をネジ５ａに固着することができる。また、ブッシュ２１の円筒面２１ｃと筐体１の右側面１ｄとの間の摩擦により、ネジ５ａの軸周りの回転を規制することができる。ネジ５ａの軸周りの回転を規制することにより、ネジ５ａが緩む方向（矢印Ｈに示す方向）へ容易に変位することを規制することができ、振動等によるネジ５ａの緩みを防止することができる。
【００３０】
また、図６Ｃに示す位置でブッシュ２１を筐体１に当接させることにより、底面２１ｂと規制面４ｃとの間に隙間を形成することができる。この隙間にマイナスドライバー等の棒状のものを挿入し、梃子の原理を使ってブッシュ２１を矢印Ｈに示す方向へ押し上げることで、無理な力を加えることなく容易にブッシュ２１をネジ５ａから取り外すことができる。
【００３１】
上述したように、ネジ５ａの頭部５ｃをブッシュ２１の貫通孔２１ａの内径を拡大させて圧入し、しかる後ネジ５ａと嵌合させる要請から、ブッシュ２１はゴム等の収縮自在な弾性を備える材料が適用されるが、ブッシュ２１をネジ５ａから取り外す際に円筒面２１ｃを把持しながら矢印Ｈ方向に引き抜くことを鑑みると、円筒面２１ｃが変形し難いことが好ましく、これらを両立させるには硬質ゴムを適用することが望ましい。
【００３２】
〔３−２．第２の構成〕
図７Ａは、ブッシュ２２（第２の構成）の斜視図である。図７Ｂは、図７ＡにおけるＺ−Ｚ部の断面図である。ブッシュ２２は、前述のブッシュ２１と同様、全体形状が略円柱形状に形成され、ネジ５ａの頭部５ｃを圧入可能な貫通孔２２ａが形成されている。また、ブッシュ２２は、ネジ５ａの頭部５ｃに対して、図６Ｂ及び図６Ｃに示す圧入状態と同等に圧入することができる。すなわち、ブッシュ２２を頭部５ｃに対して、規制面４ｃに当接する位置まで嵌合することができる場合は、頭部５ｃの円筒面５ｅと貫通孔２２ａの内面２２ｄとの間の摩擦、および底面２２ｂと規制面４ｃとの間の摩擦により、ネジ５ａの軸周りの回転を規制することができる。ネジ５ａの軸周りの回転を規制することにより、ネジ５ａが緩む方向（矢印Ｈに示す方向）へ容易に変位することを規制することができ、振動等によるネジ５ａの緩みを防止することができる。
【００３３】
ブッシュ２２は、ブッシュ２１の構成に加えて、円筒面２２ｃに溝部２２ｅが形成されている。溝部２２ｅは、円筒面２２ｃを周回するように形成されている。溝部２２ｅは、ブッシュ２２をネジ５ａの頭部５ｃから取り外す際に、紐等を巻き付けるためのものである。すなわち、ブッシュ２２は、ネジ５ａの頭部５ｃに圧入されているため、貫通孔２２ａの内面２２ｄと頭部５ｃの円筒面５ｅとの間の摩擦により、矢印Ｈに示す方向へ変位させにくく、頭部５ｃから取り外しにくい。そこで、図７Ｃに示すように、溝部２２ｅに紐２０を巻き回し、矢印Ｈに示す方向へ紐２０を引っ張ることで、比較的弱い力でブッシュ２２をネジ５ａの頭部５ｃから取り外すことができる。さらに、紐２０の端部２０ａ及び２０ｂを、ネジ５ａを挟んで対向する位置に配置し、端部２０ａ及び２０ｂを交互に矢印Ｈに示す方向へ引っ張ることで、より効率的にブッシュ２２を矢印Ｈに示す方向へ変位させることができる。また、溝部２２ｅに紐等の一端側を巻き回し、その紐等の他端側をカード装着装置の筐体１の一部や、パソコン５０の一部に固定することにより、ネジ５ａから取り外したブッシュ２２の紛失を防止することができる。
【００３４】
〔３−３．第３の構成〕
図８Ａは、ブッシュ２３（第３の構成）の斜視図である。図８Ｂは、ブッシュ２３の平面図である。図８Ｃは、図８ＢにおけるＺ−Ｚ部の断面図である。ブッシュ２３は、前述のブッシュ２２と同様、ネジ５ａの頭部５ｃを圧入可能な貫通孔２３ａが形成されている。また、ブッシュ２３は、ネジ５ａの頭部５ｃに対して、図６Ｂ及び図６Ｃに示す嵌合状態と同等に嵌合することができる。すなわち、ブッシュ２３を頭部５ｃに対して、規制面４ｃに当接する位置まで嵌合することができる場合は、頭部５ｃの円筒面５ｅと貫通孔２３ａの内面２３ｄとの間の摩擦、および底面２３ｂと規制面４ｃとの間の摩擦により、ネジ５ａの軸周りの回転を規制することができる。ネジ５ａの軸周りの回転を規制することにより、ネジ５ａが緩む方向（矢印Ｈに示す方向）へ容易に変位することを規制することができ、振動等によるネジ５ａの緩みを防止することができる。
【００３５】
また、ブッシュ２３は、紐等を巻き回すための溝部２３ｅが形成されている。溝部２３ｅを形成したことによる効果は、前述の溝部２２ｅによる効果と同等である。
【００３６】
ブッシュ２３は、前述のブッシュ２２の円筒面２２ｃに平面部２３ｃを備えている。平面部２３ｃは、本実施の形態では互いに略等間隔に３カ所に形成した。なお、平面部２３ｃの数は３面に限らず、少なくとも１面形成されていればよい。また、平面部２３ｃは、複数面形成する場合、必ずしも等間隔に形成する必要はない。
【００３７】
平面部２３ｃを備えたことにより、使用者がブッシュ２３を指で摘みやすくなるため、ブッシュ２３をネジ５ａから取り外しやすくすることができる。すなわち、３カ所の平面部２３ｃのうち少なくとも２カ所の平面部２３ｃに指を当接させてブッシュ２３を摘み、ブッシュ２３をネジ５ａの軸周りに回転させながらネジ５ａの軸方向（離脱方向）に引っ張ることで、ブッシュ２３をネジ５ａから容易に取り外すことができる。なお、このブッシュ２３の取り外し方法は一例である。
【００３８】
また、平面部２３ｃを備えたことにより、ブッシュ２３が転がりにくくなるため、紛失しにくくすることができる。すなわち、平面部２３ｃを備えたことにより、ネジ５ａから取り外したブッシュ２３を誤って床等に落としてしまったとしても、床面上を転がりにくいため、ブッシュ２３を紛失しにくくすることができる。
【００３９】
また、ブッシュ２３は、平面部２３ｃを備えたことにより、図８Ｂ及び図８Ｃに示すように、貫通孔２３ａの内面２３ｄと平面部２３ｃとの幅寸法Ｗ１１は、貫通孔２３ａの内面２３ｄと円弧部２３ｆとの幅寸法Ｗ１２よりも小さくなる。したがって、ブッシュ２３をネジ５ａの頭部５ｃに嵌合する際、ネジ穴５１ｂに螺結されたネジ５ａと筐体１の右側面１ｄとの間隙寸法に応じて、ネジ５ａを中心としたブッシュ２３の回転位置を選択することができる。
【００４０】
すなわち、図８Ｄ（平面図）及び図８Ｅ（図８ＤにおけるＺ−Ｚ部断面図）に示すように、ネジ５ａの頭部５ｃの円筒面５ｅと、筐体１の右側面１ｄとの間隙寸法が小さい場合、平面部２３ｃが右側面１ｄに当接する回転位置で、ブッシュ２３をネジ５ａの頭部５ｃに嵌合する。ここで、円弧部２３ｆが右側面１ｄに当接する回転位置で、ブッシュ２３をネジ５ａの頭部５ｃに嵌合すると、ネジ５ａの頭部５ｃが孔部２３ａを完全に挿通しない位置で円弧部２３ｆが右側面１ｄに当接する可能性があり、孔部２３ａの内面２３ｅとネジ５ａの円筒面５ｅとの間で十分な摩擦を得ることができない。したがって、本実施の形態のように平面部２３ｃが右側面１ｄに当接する回転位置でブッシュ２３をネジ５ａの頭部５ｃに嵌合する構成とすることにより、ネジ５ａの頭部５ｃが孔部２３ａを完全に挿通した位置で平面部２３ｃが右側面１ｄに当接するため、孔部２３ａの内面２３ｅとネジ５ａの円筒面５ｅとの間で十分な摩擦を得ることができる。よって、ネジ５ａの回転を規制することができ、ネジ５ａの緩みを防ぐことができる。
【００４１】
一方、図８Ｆ（平面図）及び図８Ｇ（図８ＦにおけるＺ−Ｚ部断面図）に示すように、ネジ５ａの頭部５ｃの円筒面５ｅと、筐体１の右側面１ｄとの間隙寸法が大きい場合は、円弧部２３ｆが右側面１ｄに当接する回転位置で、ブッシュ２３をネジ５ａの頭部５ｃに嵌合する。なお、円筒面５ｅと右側面１ｄとの間隙寸法が大きい場合は、平面部２３ｃが右側面１ｄに対向する回転位置でブッシュ２３をネジ５ａの頭部５ｃに嵌合することができる。その場合は、ブッシュ２３の底面２３ｂが規制面４ｃに当接する位置まで、ブッシュ２３をネジ５ａの頭部５ｃに嵌合することができれば、底面２３ｂと規制面４ｃとの間で摩擦を得ることができる。よって、ネジ５ａの回転を規制することができ、ネジ５ａの緩みを防ぐことができる。
【００４２】
なお、図８Ｅにおいてブッシュ２３の平面部２３ｃが右側面１ｄに当接しない場合、仮に外乱等に起因する振動を受けネジ５ａの螺結に緩みが生じたとしても、平面部２３ｃに隣接する円弧部２３ｆが右側面１ｄに当接することでネジ５ａの回転は抑制でき、緩みを防ぐことができる。
【００４３】
なお、ブッシュ２３において溝部２３ｅは必須ではない。溝部２３ｅを形成せずに、全体を略三角柱状としても、ブッシュ２３が振動等の外乱によりネジ５ａから容易に離脱するのを防ぐことができる。
【００４４】
〔３−４．第４の構成〕
図９Ａは、ブッシュ２４（第４の構成）の平面図である。図９Ｂは、図９ＡにおけるＺ−Ｚ部の断面図である。ブッシュ２４は、前述のブッシュ２２と同様、柱軸方向端面間に、ネジ５ａの頭部５ｃを圧入可能な貫通孔２４ａが形成されている。また、ブッシュ２４は、ネジ５ａの頭部５ｃに対して、図６Ｂ及び図６Ｃに示す嵌合状態と同等に嵌合することができる。すなわち、ブッシュ２４を頭部５ｃに対して、規制面４ｃに当接する位置まで嵌合することができる場合は、頭部５ｃの円筒面５ｅと貫通孔２４ａの内面２４ｄとの間の摩擦、および底面２４ｂと規制面４ｃとの間の摩擦により、ネジ５ａの軸周りの回転を規制することができる。ネジ５ａの軸周りの回転を規制することにより、ネジ５ａが緩む方向（矢印Ｈに示す方向）へ容易に変位することを規制することができ、振動等によるネジ５ａの緩みを防止することができる。また、紐等を巻き回すための溝部２４ｅも形成されている。溝部２４ｅを形成したことによる効果は、前述の溝部２２ｅによる効果と同等である。
【００４５】
ブッシュ２４は、溝部２４ｅを挟んで上部鍔部２４ｇと下部鍔部２４ｈとを備えている。図９Ａに示すように、上部鍔部２４ｇは、３カ所の平面部２４ｃと、各平面部２４ｃ間に設けられた円弧部２４ｆとを備えている。下部鍔部２４ｈも同様に、３カ所の平面部２４ｃと３カ所の円弧部２４ｆとを備えている。上部鍔部２４ｇと下部鍔部２４ｈとは、ネジ５ａを中心とした回転方向の位置が互いに異なっている。具体的には、上部鍔部２４ｇの平面部２４ｃと下部鍔部２４ｈの円弧部２４ｆとが、貫通孔２４ａの径方向に同位置に配され、上部鍔部２４ｇの円弧部２４ｆと下部鍔部２４ｈの平面部２４ｃとが、貫通孔２４ａの径方向に同位置に配されている。
【００４６】
このような構成とすることにより、ネジ５ａから取り外したブッシュ２４を誤って床等に落としてしまったとしても、ブッシュ２４は床面上を転がりにくく、ブッシュ２４を紛失しにくくすることができる。
【００４７】
また、円弧部２４ｆが、平面部２４ｃに対して貫通孔２４ａの径方向に突出するため、ブッシュ２４をネジ５ａから取り外す際に、使用者の指を円弧部２４ｆに引っ掛けることができる。使用者は、指を円弧部２４ｆに隣接する鍔面２４ｋに指を当接させて、ブッシュ２４の離脱方向に押圧することで、ブッシュ２４を離脱方向へ変位させることができる。したがって、ブッシュ２４をネジ５ａの頭部５ｃから取り外すことができる。
【００４８】
なお、ブッシュ２４において溝部２４ｅは必須ではない。溝部２４ｅを形成せずに、上部鍔部２４ｇと下部鍔部２４ｈとを柱軸方向に隣接して形成する構成としても、ブッシュ２４が振動等の外乱によりネジ５ａから容易に離脱するのを防ぐことができる。また、上部鍔部２４ｇと下部鍔部２４ｈとを柱軸方向に隣接して形成する構成としても、鍔面２４ｋを形成することができるため、ブッシュ２４をネジ５ａの頭部５ｃから取り外すことができる。
【００４９】
〔３−５．第５の構成〕
図１０Ａは、ブッシュ２５（第５の構成）の平面図である。図１０Ｂは、図１０ＡにおけるＺ−Ｚ部の断面図である。ブッシュ２５は、前述のブッシュ２２と同様、柱軸方向端面間に、ネジ５ａの頭部５ｃを圧入可能な貫通孔２５ａが形成されている。また、ブッシュ２５は、ネジ５ａの頭部５ｃに対して、図６Ｂ及び図６Ｃに示す圧入状態と同等に嵌合することができる。すなわち、ブッシュ２５を頭部５ｃに対して、規制面４ｃに当接する位置まで嵌合することができる場合は、頭部５ｃの円筒面５ｅと貫通孔２５ａの内面２５ｄとの間の摩擦、および底面２５ｂと規制面４ｃとの間の摩擦により、ネジ５ａの軸周りの回転を規制することができる。ネジ５ａの軸周りの回転を規制することにより、ネジ５ａが緩む方向（矢印Ｈに示す方向）へ容易に変位することを規制することができ、振動等によるネジ５ａの緩みを防止することができる。また、紐等を巻き回すための溝部２５ｅも形成されている。溝部２５ｅを形成したことによる効果は、前述の溝部２２ｅによる効果と同等である。
【００５０】
ブッシュ２５は、溝部２５ｅを挟んで上部鍔部２５ｇと下部鍔部２５ｈとを備えている。上部鍔部２５ｇは、３カ所の平面部２５ｃと、３カ所の円弧部２５ｆとを備えている。下部鍔部２５ｈは、図１０Ａに示すように平面形状が円形である。
【００５１】
このような構成とすることにより、ネジ５ａから取り外したブッシュ２５を誤って床等に落としてしまったとしても、床面上を直線状に転がりにくく円弧状に転がりやすいため、ブッシュ２４を紛失しにくくすることができる。
【００５２】
なお、ブッシュ２５において溝部２５ｅは必須ではない。溝部２５ｅを形成せずに、上部鍔部２５ｇと下部鍔部２５ｈとを柱軸方向に隣接して形成する構成としても、ブッシュ２５が振動等の外乱によりネジ５ａから容易に離脱するのを防ぐことができる。また、上部鍔部２５ｇと下部鍔部２５ｈとを柱軸方向に隣接して形成する構成としても、鍔面２５ｋを形成することができるため、ブッシュ２４をネジ５ａの頭部５ｃから取り外すことができる。
【００５３】
〔４．実施の形態の効果、他〕
本実施の形態は、カード装着装置などの拡張機器をパソコン５０などの情報処理装置にネジ５ａ及び５ｂで螺結している状態において、ネジ５ａ及び５ｂの頭部５ｃに弾性材料で形成されたブッシュ２１を圧入装着し、さらにブッシュ２１の底面２１ｂとリブ４ａ及び４ｂの規制面４ｃとを当接させる構成とした。これにより、ブッシュ２１の内面２１ｄとネジ５ａ及び５ｂの頭部５ｃとの間の摩擦、およびブッシュ２１の底面２１ｂとリブ４ａ及び４ｂの規制面４ｃとの間の摩擦により、ネジ５ａ及び５ｂの緩みを低減することができる。したがって、拡張機器あるいはそれを装着した情報処理装置に対して振動等の外乱が印加されたとしても、ネジ５ａ及び５ｂが緩むことにより拡張機器と情報処理装置とが不意に分離してしまうことを低減することができる。なお、ブッシュ２２〜２５についても同様の効果が得られる。
【００５４】
また、ネジ５ａ及び５ｂの頭部５ｃに、少なくとも頭部５ｃの外径よりも大きい外径を有するブッシュ２１を圧入装着することにより、使用者においてネジ５ａ及び５ｂの頭部５ｃに回転方向の力を入れやすくなるため、ネジ穴５１ｂに固く締結されたネジ５ａ及び５ｂを緩めやすくすることができる。さらに、ブッシュ２１を弾性材料で形成したことにより、ブッシュ２１を指で摘んで緩める際に指を滑りにくくすることができるため、ネジ５ａ及び５ｂを緩めやすくすることができる。なお、ブッシュ２２〜２５についても同様の効果が得られる。
【００５５】
また、図６Ｃに示すように、ネジ穴５１ｂに螺結されたネジ５ａ及び５ｂの頭部５ｃと、筐体１の右側面１ｄ及び右側面１ｅとの間隙が小さかったとしても、ブッシュ２１の一部（本実施の形態では円筒面２１ｃ）が筐体１の一部（本実施の形態では右側面１ｄ及び右側面１ｅ）に当接する構成とすることにより、ネジ５ａ及び５ｂの緩みを低減することができる。すなわち、ブッシュ２１の内面２１ｄとネジ５ａ及び５ｂの頭部５ｃとの間の摩擦、およびブッシュ２１の円筒面２１ｃと右側面１ｄ及び右側面１ｅとの間の摩擦により、ネジ５ａ及び５ｂの緩みを低減することができる。したがって、拡張機器あるいはそれを装着した情報処理装置に対して振動等の外乱が印加されたとしても、ネジ５ａ及び５ｂが緩むことにより拡張機器と情報処理装置とが不意に分離してしまうことを低減することができる。なお、ブッシュ２２〜２５についても同様の効果が得られる。
【００５６】
また、図７Ａ〜図７Ｃに示すように、ブッシュ２２の円筒面２２ｃに溝部２２ｅを形成したことにより、ブッシュ２２をネジ５ａ及び５ｂから取り外す際に、紐等を巻き付けて離脱方向へ引っ張ることで、ブッシュ２２を軽い力でネジ５ａ及び５ｂから取り外すことができる。また、使用者がブッシュ２２を指で摘んで離脱方向へ引っ張る際に、溝部２２ｅに指をかけることができるので、ブッシュ２２を容易に離脱することができる。なお、ブッシュ２３〜２５についても同様の効果が得られる。
【００５７】
また、図８Ａ〜図８Ｃに示すように、ブッシュ２３の側面に平面部２３を形成したことにより、ブッシュ２３を転がりにくくすることができ、ネジ５ａ及び５ｂから離脱したブッシュ２３を紛失しにくい。なお、ブッシュ２４及び２５についても同様の効果が得られる。
【００５８】
また、図９Ａ及び図９Ｂに示すように、上部鍔部２４ｇ及び下部鍔部２４ｈのうち、少なくとも一方が他方よりも、貫通孔２４ａの径方向に突出させる構成とすることにより、ブッシュ２４をネジ５ａ及び５ｂから取り外す際に、使用者が指をかけやすくすることができる。よって、ブッシュ２４をネジ５ａ及び５ｂから容易に取り外すことができる。なお、ブッシュ２５についても同様の効果が得られる。
【００５９】
なお、本実施の形態では、拡張機器の一例としてカード装着装置を挙げたが、これには限らない。例えば、ＤＶＩ（Digital Visual Interface）規格に準拠した映像出力ケーブルに搭載されているネジに本実施の形態のブッシュを装着することで、ＤＶＩケーブルが振動等の外乱により、パソコンやモニタなどから容易に離脱することを防ぐことができる。このような構成の場合、ＤＶＩケーブルが、本発明における電子機器に相当する。
【００６０】
また、本実施の形態では、ブッシュ２１，２２，２３は、円柱状あるいは略三角柱状としたが、形状はこれらに限らない。例えば、四角柱状や五角柱状であってもよい。
【００６１】
また、本実施の形態では、ブッシュに形成された貫通孔は、内壁が円筒状となるように形成したが、この形状に限らない。貫通孔の内壁を角筒状にし、さらにネジの頭部も角筒状にすることで、貫通孔にネジの頭部を圧入した際に、ブッシュとネジの嵌合関係をより強固にすることができるため、好ましい。
【００６２】
また、図６Ｂにおいて、ネジ５ａの雄ネジ部５ｄの螺結方向端部と、ネジ孔５１ｂの底部との間に隙間を有することにより、ネジ５ａの頭部５ｃと筐体５１の側面５１ａとの間にリブ４ａをガタツキなく挟持させることができるため、好ましい。図６Ｃ、図７Ｃ、図８Ｅ、図８Ｇに示すネジについても同様である。
【００６３】
また、本実施の形態における筐体１は、本発明における筐体の一例である。また、本実施の形態における貫通孔４ｄは、本発明における支持部の一例である。また、本実施の形態におけるブッシュ２１〜２５は、本発明における弾性部材の一例である。
【産業上の利用可能性】
【００６４】
本発明の電子機器は、ネジにより情報処理装置などに固定可能な機器に有用である。
【図面の簡単な説明】
【００６５】
【図１】本実施の形態にかかる蓋開閉装置を備えたカード装着装置の外観（前面側）を示す斜視図
【図２】本実施の形態にかかる蓋開閉装置を備えたカード装着装置の外観（背面側）を示す斜視図
【図３】スマートカード及びカード装着装置の斜視図
【図４】カード装着装置を着脱可能な情報処理装置の一例であるパーソナルコンピューターの斜視図
【図５】カード装着装置がパーソナルコンピューターに装着された状態を示す平面図
【図６Ａ】ブッシュの第１の構成を示す斜視図
【図６Ｂ】ブッシュが装着されたネジ近傍の要部断面図
【図６Ｃ】ブッシュが装着されたネジ近傍の要部断面図
【図７Ａ】ブッシュの第２の構成を示す平面図
【図７Ｂ】図７ＡにおけるＺ−Ｚ部の断面図
【図７Ｃ】ブッシュが装着されたネジ近傍の要部断面図
【図８Ａ】ブッシュの第３の構成を示す斜視図
【図８Ｂ】ブッシュの第３の構成を示す平面図
【図８Ｃ】図８ＢにおけるＺ−Ｚ部の断面図
【図８Ｄ】ブッシュが装着されたネジ近傍の要部平面図
【図８Ｅ】ブッシュが装着されたネジ近傍の要部断面図
【図８Ｆ】ブッシュが装着されたネジ近傍の要部平面図
【図８Ｇ】ブッシュが装着されたネジ近傍の要部断面図
【図９Ａ】ブッシュの第４の構成を示す平面図
【図９Ｂ】図９ＡにおけるＺ−Ｚ部の断面図
【図１０Ａ】ブッシュの第５の構成を示す平面図
【図１０Ｂ】図１０ＡにおけるＺ−Ｚ部の断面図
【符号の説明】
【００６６】
１  筐体
２１，２２，２３，２４，２５  ブッシュ
【図１】
2010205061.tif 000003
【図２】
2010205061.tif 000004
【図３】
2010205061.tif 000005
【図４】
2010205061.tif 000006
【図５】
2010205061.tif 000007
【図６Ａ】
2010205061.tif 000008
【図６Ｂ】
2010205061.tif 000009
【図６Ｃ】
2010205061.tif 000010
【図７Ａ】
2010205061.tif 000011
【図７Ｂ】
2010205061.tif 000012
【図７Ｃ】
2010205061.tif 000013
【図８Ａ】
2010205061.tif 000014
【図８Ｂ】
2010205061.tif 000015
【図８Ｃ】
2010205061.tif 000016
【図８Ｄ】
2010205061.tif 000017
【図８Ｅ】
2010205061.tif 000018
【図８Ｆ】
2010205061.tif 000019
【図８Ｇ】
2010205061.tif 000020
【図９Ａ】
2010205061.tif 000021
【図９Ｂ】
2010205061.tif 000022
【図１０Ａ】
2010205061.tif 000023
【図１０Ｂ】
2010205061.tif 000024